(57)【要約】  【課題】小形で安価に提供することができる２段階式プッシュスイッチ機能と回転自己復帰型のロータリースイッチ機能とを備えたスイッチ装置を提供する。  【解決手段】中央に２段階で２種類のスイッチ回路を切換操作可能なプッシュスイッチＰと、該プッシュスイッチＰを中心とする周囲に配設され、左右方向への回転で少なくとも２種類のスイッチ回路を切換操作可能で、かつ、回転操作を止めると中立位置に復帰させるトーションバネ１０を備えた回転自己復帰型のロータリースイッチＲとを、一体化して設けた。【選択図】図７
2008243474.tif 000002
【特許請求の範囲】
【請求項１】
２段階で少なくとも２種類のスイッチ回路を切換操作可能な２段階式プッシュスイッチと、該プッシュスイッチを中心とする周囲に配設され、左右方向に回転させることにより少なくとも２種類のスイッチ回路を切換操作可能で、かつ、回転操作を止めるとニュートラル位置に復帰させるトーションバネを備えた回転自己復帰型のロータリースイッチとを、一体化して設けたことを特徴とするスイッチ装置。
【請求項２】
上記プッシュスイッチは、中央が上方に湾曲している皿バネ状に形成されている導電性タクト板と、絶縁ハウジング側に設けられ、かつ、該導電性タクト板の中心が押し下げられると該押し下げられた導電性タクト板と接触して切換操作される前記スイッチ回路用の接片とからなるとともに、前記導電性タクト板と前記絶縁ハウジングとの間に、前記導電性タクト板の上下方向への移動は自由で、回転方向の移動を規制する突起と凹部とでなる導電性タクト板用回転規制手段を設けたことを特徴とする請求項１に記載のスイッチ装置。
【請求項３】
上記ロータリースイッチは、接片を有する回転自在なロータと、絶縁ハウジング側に設けられ前記ロータの回転により該ロータ側の接片と接触して切換操作される前記スイッチ回路用の接片とからなるとともに、前記ロータと前記絶縁ハウジング側との間に、前記ロータが所定量回転すると互いに当接して前記ロータの回転量を規制するロータ用回転規制手段を設けたことを特徴とする請求項１または２記載のスイッチ装置。
【請求項４】
上記プッシュスイッチ用の固定接片と上記ロータリースイッチ用の固定接片を、上記絶縁ハウジングの成形時に該絶縁ハウジング内にインサート成形して設けたことを特徴とする請求項２または３記載のスイッチ装置。
【請求項５】
上記プッシュスイッチは、上記導電性タクト板を押圧操作するための押釦部材を有することを特徴とする請求項２，３または４記載のスイッチ装置。
【発明の詳細な説明】
【技術分野】
【０００１】
本発明はスイッチ装置に関するものであり、特に、デジタルカメラ等に好適なスイッチ装置に関するものである。
【背景技術】
【０００２】
従来、デジタルカメラ等では、２段階式プッシュスイッチとロータリースイッチとを備える構造のものがある。そして、２段階式プッシュスイッチでは、第１押し操作で自動焦点整合操作を行うスイッチ回路をオフからオンに切り換え、第２押し操作で自動焦点整合操作を保持したまま、シャッターレリーズ操作を行うスイッチ回路をオフからオンに切り換えている。一方、ロータリースイッチは、片側(例えば左方向)への回転操作でズームイン(望遠)操作を行い、他方(例えば右方向)への回転操作でズームアウト(広角)操作を行っている。
【０００３】
その２段階式プッシュスイッチとしては、例えば特許文献１に記載されているようなものが知られている。一方、ロータリースイッチも例をあげることもなく、各種の構造が知られている。しかし、従来、第１段押し操作と第２段押し操作とが可能な２段階式プッシュスイッチと、左右方向への回転操作が可能で、かつ、回転操作を止めると自由に中立位置へ復帰する、いわゆる回転自己復帰型のロータリースイッチとを一体化してなるスイッチ装置は存在していなかった。そのため、従来では、２段階式プッシュスイッチとロータリースイッチとを別々に用意し、これを組み合わせて１つにした状態で使用されていた。
【特許文献１】特開２００２−２４５８９５号公報。
【発明の開示】
【発明が解決しようとする課題】
【０００４】
上述したように、従来では、第１段押し操作と第２段押し操作とが可能な２段階式プッシュスイッチと、左右方向への回転操作が可能で、かつ、回転操作を止めると自動的に中立位置へ復帰する回転自己復帰型のロータリースイッチとを一体化してなるスイッチ装置は存在していなかった。そのため、従来では、２段階式プッシュスイッチとロータリースイッチとを別々に用意し、これを組み合わせて１つにした状態で使用していたので、次のような問題点があった。
(１)二段プッシュスイッチ及びロータリースイッチを個々に製造する際の精度と、組み合わせ時、すなわち組立作業時における寸法精度を必要とするので、製造及び組立が難しく、コスト面での経済的な問題があった。
(２)二段プッシュスイッチ及びロータリースイッチを組み合わせて使用するため、部品点数及び組立工数も多く、コスト面での経済的な問題があった。
(３)ロータリースイッチは、回転操作を終えて中立位置に戻す場合、手動で戻す必要があり、また自動復帰するようにする場合には自己復帰用の機構をスイッチ装置外部で機器側に設ける必要がある。このため、機器側における機構設計が必要になり、構造が複雑化する。また、組立スペースも大きく必要とし、機器側の小形化を阻害する問題があった。
【０００５】
そこで、小形で安価に提供することができる二段プッシュスイッチ機能と回転自己復帰型のロータリースイッチ機能とを備えたスイッチ装置を提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、２段階で少なくとも２種類のスイッチ回路を切換操作可能な２段階式プッシュスイッチと、
該プッシュスイッチを中心とする周囲に配設され、左右方向に回転させることにより少なくとも２種類のスイッチ回路を切換操作可能で、かつ、回転操作を止めるとニュートラル位置に復帰させるトーションバネを備えた回転自己復帰型のロータリースイッチとを、一体化して設けたスイッチ装置を提供する。
【０００７】
この構成によれば、二段プッシュスイッチ機能と回転自己復帰型のロータリースイッチ機能とが一体化されたスイッチ装置が得られる。
【０００８】
請求項２記載の発明は、請求項１において、上記プッシュスイッチは、中央が上方に湾曲している皿バネ状に形成されている導電性タクト板と、絶縁ハウジング側に設けられ、かつ、該導電性タクト板の中心が押し下げられると該押し下げられた導電性タクト板と接触して切換操作される前記スイッチ回路用の接片とからなるとともに、前記導電性タクト板と前記絶縁ハウジングとの間に、前記導電性タクト板の上下方向への移動は自由で、回転方向の移動を規制する突起と凹部とでなる導電性タクト板用回転規制手段を設けたスイッチ装置を提供する。
【０００９】
この構成によれば、中央が上方に湾曲している皿バネ状に形成されている導電性タクト板は、上下方向への移動が自由で、かつ、回転方向の移動は規制されるので、常に同じ位置において、反復切り換え動作がスムーズに行われる。
【００１０】
請求項３記載の発明は、請求項１または２記載において、上記ロータリースイッチは、接片を有する回転自在なロータと、絶縁ハウジング側に設けられ前記ロータの回転により該ロータ側の接片と接触して切換操作される前記スイッチ回路用の接片とからなるとともに、前記ロータと前記絶縁ハウジング側との間に、前記ロータが所定量回転すると互いに当接して前記ロータの回転量を規制するロータ用回転規制手段を設けたスイッチ装置を提供する。
【００１１】
この構成によれば、ロータが所定量回転すると、ロータ用回転規制手段によりそれ以上の回転は規制されるので、必要以上にロータを回転させてしまうことはなくなる。
【００１２】
請求項４記載の発明は、請求項２または３記載において、上記プッシュスイッチ用の固定接片と上記ロータリースイッチ用の固定接片を、上記絶縁ハウジングの成形時に該絶縁ハウジング内にインサート成形して設けたスイッチ装置を提供する。
【００１３】
この構成によれば、プッシュスイッチ用の固定接片とロータリースイッチ用の固定接片を、上記絶縁ハウジング内にインサート成形しているので、組立工数が低減する。
【００１４】
請求項５記載の発明は、請求項２，３または４記載において、上記プッシュスイッチは、上記導電性タクト板を押圧操作するための押釦部材を有することスイッチ装置を提供する。
【００１５】
この構成によれば、導電性タクト板のプッシュ操作を、押釦部材を介して確実に操作することができる。
【発明の効果】
【００１６】
請求項１記載の発明は、２段階式プッシュスイッチ機能と回転自己復帰型のロータリースイッチ機能とが一体化されたスイッチ装置が得られるので、精度の高い製造及び組立が容易になる。これにより、コストが下がり経済的な効果が期待できる。また、小形化も可能で、さらに自己復帰するためのトーションバネを備えることにより、機器側の機構も簡略化することができる。
【００１７】
請求項２記載の発明は、ドーム状に形成されている導電性タクト板は、常に同じ位置で反復切り換え動作を行わせることができるので、請求項１の発明の効果に加えて、常に、同じ感触を有するスイッチ操作が行え、品質の向上が期待できる。
【００１８】
請求項３記載の発明は、ロータを常に同じ範囲内で回転させることができるので、請求項１または２記載の発明の効果に加えて、常に、同じ感触を有するスイッチ操作が行え、さらに品質の向上が期待できる。
【００１９】
請求項４記載の発明は、スイッチの組立工数が低減するので、請求項２または３記載の発明の効果に加えて、さらに経済的な効果が期待できる。
【００２０】
請求項５記載の発明は、導電性タクト板のプッシュ操作を、押釦部材を介して確実に操作することができるので、請求項２，３または４記載の発明の効果に加えて、操作性が向上する。
【発明を実施するための最良の形態】
【００２１】
小形で安価に提供することができる２段階式プッシュスイッチ機能と回転自己復帰型のロータリースイッチ機能とを備えたスイッチ装置を提供するという目的を達成するために、２段階で少なくとも２種類のスイッチ回路を切換操作可能な２段階式プッシュスイッチと、該プッシュスイッチを中心とする周囲に配設され、左右方向に回転させることにより少なくとも２種類のスイッチ回路を切換操作可能で、かつ、回転操作を止めるとニュートラル位置に復帰させるトーションバネを備えた回転自己復帰型のロータリースイッチとを、一体化して設けたことにより実現した。
【実施例】
【００２２】
以下、本発明のスイッチ装置について、好適な実施例をあげて説明する。図１〜図８は本発明に係るスイッチ装置の一実施の形態を示すもので、図１は正面側より見た同上スイッチ装置の外観斜視図、図２は同じく正面側より見た同上スイッチ装置の要部分解斜視図、図３は同上スイッチ装置の正面図、図４は同上スイッチ装置の背面図、図５は図３の矢印Ａ−Ａ方向より見た同上スイッチの側面図、図６は図３の矢印Ｂ−Ｂ方向より見た同上スイッチの側面図、図７は図３のＣ−Ｃ線断面図、図８は図３のＤ−Ｄ線断面図である。
【００２３】
図１〜図８において、スイッチ装置１は、例えばデジタルカメラ等に使用されるスイッチ装置で、プッシュスイッチＰ用の固定接片(３ａ〜３ｃ)とロータリースイッチＲ用の固定接片(４ａ〜４ｄ)とを配設した絶縁ハウジング２を有する。該絶縁ハウジング２上には、固定接片(３ａ〜３ｃ)と共に２段階式プッシュスイッチＰを構成する導電性タクト板５と、押釦部材としてのセンターノブ６と、インナー部材７と、固定接片(４ａ〜４ｄ)と共にロータリースイッチＲを構成する摺動ブラシ８Ａ，８Ｂを下面に取り付けてなるロータ９と、該ロータ９に回転自己復帰力を付与するトーションバネ１０と、カバー１１とが配設されている。
【００２４】
前記絶縁ハウジング２は、絶縁性を有する部材、例えば合成樹脂材を射出成形金型内に注入することにより成形されるもので、また射出成形時に上記固定接片(３ａ〜３ｃ)及び固定接片(４ａ〜４ｄ)をインサートし、一体化して設けている。絶縁ハウジング２は、平面視八角形をなしているとともに、内側には上面が開口された円形の外側凹所１２を有している。また、該外側凹所１２の中央には環状台部１３を設け、該環状台部１３上に中間環状凹部１４を設けている。さらに、中間環状凹部１４の内側には内側凹所１５を設け、該内側凹所１５の底面に上記固定接片(３ａ〜３ｃ)を配設し、外側凹所１２の底面に上記固定接片(４ａ〜４ｄ)を配設している。
【００２５】
また、絶縁ハウジング２における中間環状凹部１４の底面には、上方に向かって突出している位置決めピン１６，１６を設け、環状台部１３には、内側凹所１５まで切り込まれた１対の位置決めスリット１７，１７を、互いに１８０度離間した位置に設けている。さらに、絶縁ハウジング２の外周壁には、カバー１１を係止するための４つの係止爪１８，１８…が形成されている。
【００２６】
前記絶縁ハウジング２における内側凹所１５の底面に設けられている固定接片(３ａ〜３ｃ)と、外側凹所１２の底面に設けられている固定接片(４ａ〜４ｄ)は、例えば図１０に示すように平面的に配列された状態で、図９に示すように絶縁ハウジング２内にインサートされて、該絶縁ハウジング２と一体化されてなり、各々、接片部を内側凹所１５内に露出させ、リード端子部を絶縁ハウジング２の外周壁に露出させている。そして、固定接片(３ａ〜３ｃ)は、中央に位置する円形をした第１選択接片３ａと、該第１選択接片３ａの外側に位置する弧状の第２選択接片３ｂと、該第２選択接片３ｂの外側に位置する弧状のコモン接片３ｃとよりなる。他方、固定接片(４ａ〜４ｄ)は、同一円周上に、円弧状をしたコモン接片４ａと、このコモン接片４ａの一端側に並設された第１選択接片４ｂと、コモン接片４ａの他端側に順に並設されたニュートラル接片４ｃ及び第２選択接片４ｄとよりなる。
【００２７】
前記導電性タクト板５は、バネ性を有する金属板を、内側凹所１５内に遊嵌させるように円板状に打ち抜き形成したもので、図１１〜図１３に示すように、円形の中央円板部５ａと、その外側のリング状枠部５ｂとが同心円状に形成され、両者が、中心を通る１対の連結片５ｃ，５ｃにより一体に連結されている。この一体に連結された中央円板部５ａ、リング状枠部５ｂ及び連結片５ｃ，５ｃは、図１２及び図１３に示すように、中心に向かって上方に緩やかに湾曲され、全体で、中央円板部５ａの中心が頂部となった皿バネ状に形成されている。
【００２８】
また、前記導電性タクト板５の中心を通るリング状枠部５ｂの２箇所の部位には、外側に向かって突出された突起である矩形状の支持片５ｄ，５ｄが一体に形成されている。該支持片５ｄ，５ｄの幅は、絶縁ハウジング２の環状台部１３に設けられている凹部としてのスリット１７，１７に、上下方向の移動が自由で、回転方向の移動が規制された状態で遊嵌されるように、該スリット１７，１７の幅に合わせて形成されている。なお、支持片５ｄ，５ｄとスリット１７，１７とで、導電性タクト用回転規制手段２４を構成している。
【００２９】
リング状枠部５ｂには、その円周方向に沿った円弧の一部を絞り、上方に湾曲させた絞り部５ｅが形成されている。絞り部５ｅは、円周方向に沿った円弧の一部が上方に絞られることによって、半径方向に直線状に延びるリブとして表れる。
【００３０】
そして、導電性タクト板５は、環状台部１３のスリット１７，１７に支持片５ｄ，５ｄを遊嵌させて、内側凹所１５内に収容され、リング状枠部５ｂがコモン接片３ｃと接触し、中央円板部５ａは皿バネ状に上方に湾曲して第１選択接片３ａ及び第２選択接片３ｂとは接触していない状態で配置されている。
【００３１】
前記センターノブ６は、絶縁性を有する部材、例えば合成樹脂材を射出成形金型内に注入することにより成形されるものである。該センターノブ６は、下端部に導電タクト板５の中央円板部５ａ上に添接された状態で絶縁ハウジング２の内側凹所１５内に遊嵌される円形をした作動板部６ａと、該作動板部６ａの上面から上方に突出している短円柱状のノブ部６ｂと、該ノブ部６ｂの外周面に形成された係合突起６ｃとを一体に有している。
【００３２】
前記インナー部材７は、絶縁性を有する部材、例えば合成樹脂材を射出成形金型内に注入することにより成形されるもので、中央に貫通孔１９を設けてなる環状体として形成されている。該インナー部材７は、下端部が絶縁ハウジング２の中間環状凹部１４内に収容可能に配設されるもので、位置決めピン１６と嵌合される位置決め孔(図示せず)及びセンターノブ６の係合突起１６と嵌合される位置決め用切欠部７ａ(図１参照)が各々形成されているとともに、上面には上方に向かって突出している回動規制片７ｂが形成されている。
【００３３】
そして、インナー部材７は、内側凹所１５内に導電性タクト板５とセンターノブ６が配置された後から絶縁ハウジング２に取り付けられる。その取付時、センターノブ６のノブ部６ｂを中央の貫通孔１９に通し、かつ、位置決め用切欠部７ａにセンターノブ６の係合突起１６を嵌合させるとともに、絶縁ハウジング２に設けられている位置決めピン１６を前記位置決め孔(図示せず)に嵌合させて、絶縁ハウジング２に対する回り止めを行う。これにより、センターノブ６も、上下方向にだけ移動し、回転はしない状態で絶縁ハウジング２に保持される。
【００３４】
前記ロータ９は、絶縁性を有する部材、例えば合成樹脂材を射出成形金型内に注入することにより成形されるもので、下面側にインナー部材７の一部を収容する収容凹部２０を有し、中央にセンターノブ６が貫通する貫通孔２１を設けた環状体として形成され、下端部が絶縁ハウジング２の外側凹所１２内に収容可能に配置される。該ロータ９の上面には、インナー部材７の回動規制片７ｂを逃がす円弧状の切欠部２２を途中に設けてなる外周壁９ａが設けられている。該外周壁９ａには、図示しない外装つまみを取り付ける係止爪９ｂが設けられている。一方、ロータ９の下面側には、収容凹部２０の固定接片(４ａ〜４ｄ)に対応して１対の摺動ブラシ８Ａ，８Ｂが互いに離間して同一円周上に設けられている。
【００３５】
そして、ロータ９は、インナー部材７の上側から収容凹部２０内に収容されて絶縁ハウジング２に取り付けられる。また、取り付けられた状態では、切欠部２２にインナー部材７の回動規制片７ｂが遊嵌されて、この切欠部２２と回動規制片７ｂとでロータ用回転規制手段２３を構成する。この回転規制手段２３は、切欠部２２の一端規制面２２ａと他端規制面２２ｂが回動規制片７ｂにそれぞれ当接するまでロータ９の回動を許容するもので、回動許容角度は本例では４０度に設定してある。（中間位置からＣＷ２０度、ＣＣＷ２０度で設定してある。）
摺動ブラシ８Ａ及び８Ｂは、バネ性を有する金属板を打ち抜き成形したもので、ロータ９の下端部が絶縁ハウジング２の外側凹所１２内に収容配置されると、各摺動ブラシ８Ａ，８Ｂは外側凹所１２の底壁にバネ当接されるようにして、ロータ９に取り付けられている。そして、摺動ブラシ８Ａは、コモン接片４ａ及び第１選択接片４ｂに対応して設けられ、摺動ブラシ８Ｂはコモン接片４ａとニュートラル接片４ｃ及び第２選択接片４ｄに対応して設けられている。
【００３６】
前記トーションバネ１０は、コイル状のバネで、センターノブ６におけるノブ部６ｂの外周を囲むようにして取り付けられ、インナー部材７に掛け止めしてなる。また、通常は、ロータ９をニュートラル位置、すなわちインナー部材７の回動規制片７ｂがロータ９の切欠部２２の中間位置に配置させた状態で保持している。なお、ロータ９がニュートラル位置に配置されている状態では、摺動ブラシ８Ａの両端部はコモン接片４ａ上に当接され、摺動ブラシ８Ｂの両端部はコモン接片４ａ上とニュートラル接片４ｃ上に跨って当接されている。
【００３７】
そして、ロータ９をニュートラル位置から、インナー部材７の回動規制片７ｂがロータ
９の切欠部２２の一端規制面２２ａと当接する位置まで左方向に回動されると、摺動ブラシ８Ａはコモン接片４ａ上と第１選択接片４ｂ上とに接続されて、例えば図示しないスイッチ回路Ｔをオフからオンに切り換え、また、ロータ９の回動力を解くと、トーションバネ１０による自己復帰力により、ロータ９がニュートラル位置に戻され、前記スイッチ回路Ｔをオフに切り換える。
【００３８】
反対に、ロータ９をニュートラル位置から、インナー部材７の回動規制片７ｂがロータ９の切欠部２２の一端規制面２２ｂと当接する位置まで右方向に回動されると、摺動ブラシ８Ｂはニュートラル接片４ｃ上と第２選択接片４ｄ上に接続されて、例えば図示しないスイッチ回路Ｗをオフからオンに切り換え、そして、ロータ９の回動力を解くと、トーションバネ１０による自己復帰力でロータ９がニュートラル位置に戻され、前記スイッチ回路Ｗをオフに切り換える。
【００３９】
前記カバー１１は、バネ性を有する金属板を打ち抜き成形して、中央にロータ６の外周壁９ａが貫通する貫通孔２５を設けて、絶縁ハウジング２と同じ八角形をした板状に形成されている。また、カバー１１の外周には、絶縁ハウジング２の外周壁に設けた係止爪１８，１８…と対応して、この係止爪１８，１８…と係合される係合孔２６を設けた４つの係止片１１ａが下側へ向かって折曲形成されている。そして、カバー１１は、該絶縁ハウジング２にロータ６を取り付けた後から、該絶縁ハウジング２に取り付けられ、係止片１１ａ，１１ａ…の各係合孔１１ａをそれぞれ係止爪１８，１８…に係合させて固定される。
【００４０】
このようにして、絶縁ハウジング２にカバー１１を取り付けたスイッチ装置１は、カバー１１の上側にロータ９の周回壁部９ａとセンターノブ６のノブ部６ｂが突出した状態で組み立てられる。
【００４１】
このようにして構成されたスイッチ装置１は、ロータ９をニュートラル位置から左方向に回動させるとスイッチ回路Ｔをオンに切り換え、ニュートラル位置から右方向に回動させるとスイッチ回路Ｗをオンに切り換えるようにして、ロータリースイッチＲを制御することができる。
【００４２】
一方、センターノブ６を押下操作すると、２段階式プッシュスイッチＰを制御することができる。すなわち、センターノブ６を一段押し操作すると、導電性タクト板５の中央円板部５ａの中心が下方へ押し下げられ、リング状枠部５ｂとこれにつられて連結片５ｃが導電性タクト５の中心に向かって下方に傾斜するように反転し、かつ、操作者にクリック感を付与して、上方に湾曲する中央円板部５ａ全体が下降する。この下降によって中央円板部５ａの周縁が、その下方の第２選択接片３ｂに当接し、両者が接触する。これにより、例えば図示しないスイッチ回路Ｆがオンに切り換わる。なお、この動作では、反転までにリング状枠部５ｂに蓄積されていた捻り応力と曲げ応力によるエネルギーは、反転の際に、反転方向に付勢するように作用する。したがって、一段押し操作で押下力を解いた場合は、その反力で復帰する。
【００４３】
次に、第１段押し操作からさらに第２段押し操作を行うと、導電性タクト板５の中央円板部５ａの中心（頂部）がさらに押し下げられ、中央円板部５ａ自体が反転する。この反転の際には、第１段押し操作と同様に、クリック感が発生するとともに、中央円板部５ａの中心部分が下方に変位し、対向部位に露出する第１選択接片３ａに接触する。その結果、導電性タクト板５を介して、コモン接片３ｃと第１選択接片３ａが接続し、例えば図示しないスイッチ回路Ｓが閉じる。
【００４４】
その後、センターノブ６からの押圧を解除すれば、導電性タクト板５は、自身の弾性に
より、中心が上方に突出する皿バネ状に復帰し、図７及び図８に示す状態に戻り、前記スイッチ回路Ｆ及びスイッチ回路Ｓがそれぞれ開く。
【００４５】
したがって、この実施の形態における構造では、センターノブ６を押下して操作する二段プッシュスイッチ機能と、ロータ９を左右に回転させて操作すると回転自己復帰型のロータリースイッチ機能とが一体化されたスイッチ装置１が得られる。
【００４６】
斯くの如く構成された本発明のスイッチ装置１の上面は、図１４に示すように、合成樹脂等から成る本体カバー２７で被着されており、且つ、前記センターノブ６も同合成樹脂から成る筒状カバー６ｄで嵌着されている。尚、図中符号２８は回転用摘子を示す。
【００４７】
なお、本発明は、本発明の精神を逸脱しない限り種々の改変を為すことができ、そして、本発明が該改変されたものに及ぶことは当然である。
【図面の簡単な説明】
【００４８】
【図１】本発明の一実施の形態に係るスイッチ装置の外観斜視図。
【図２】同上スイッチ装置の要部分解斜視図。
【図３】同上スイッチ装置の正面図。
【図４】同上スイッチ装置の背面図。
【図５】図３の矢印Ａ−Ａ方向より見た同上スイッチの側面図。
【図６】図３の矢印Ｂ−Ｂ方向より見た同上スイッチの側面図。
【図７】図３のＣ−Ｃ線断面図。
【図８】図３のＤ−Ｄ線断面図。
【図９】同上スイッチ装置における絶縁ハウジングの正面図。
【図１０】同上絶縁ハウジングにインサートされている固定接片の配置構成図。
【図１１】同上スイッチ装置における導電性タクト板の正面図。
【図１２】図１１の矢印Ｅ−Ｅ方向より見た同上導電性タクト板の側面図。
【図１３】図１１の矢印Ｆ−Ｆ方向より見た同上導電性タクト板の側面図。
【図１４】スイツチ装置上面を本体カバーで被着した状態を示す斜面図。
【符号の説明】
【００４９】
１              スイッチ装置
２              絶縁ハウジング(ベース)
３ａ            第１選択接片
３ｂ            第２選択接片
３ｃ            コモン接片
４ａ            コモン接片
４ｂ            第１選択接片
４ｃ            ニュートラル接片
４ｄ            第２選択接片
５              導電性タクト板
５ａ            中央円板部
５ｂ            リング状枠部
５ｄ            支持片(突起)
６              センターノブ(押釦部材)
７              インナー部材
７ａ            位置決め用切欠部
７ｂ            回動規制片  
８Ａ，８Ｂ      摺動ブラシ      
９              ロータ
１０            トーションバネ
１１            カバー
１２            外側凹所
１３            環状台部
１４            中間環状凹部
１５            内側凹所
１６            位置決めピン
１７            スリット(凹部)
２２            切欠部
２２ａ          一端規制面(当接規制部)
２２ｂ          他端規制面(当接規制部)
２３            ロータ用回転規制手段
２４            導電性タクト用回転規制手段
Ｐ              プッシュスイッチ
Ｒ              ロータリースイッチ  
【図１】
2008243474.tif 000003
【図２】
2008243474.tif 000004
【図３】
2008243474.tif 000005
【図４】
2008243474.tif 000006
【図５】
2008243474.tif 000007
【図６】
2008243474.tif 000008
【図７】
2008243474.tif 000009
【図８】
2008243474.tif 000010
【図９】
2008243474.tif 000011
【図１０】
2008243474.tif 000012
【図１１】
2008243474.tif 000013
【図１２】
2008243474.tif 000014
【図１３】
2008243474.tif 000015
【図１４】
2008243474.tif 000016